(57)【要約】【課題】各部の組立作業及び加工作業における作業性の向上等を図る。【解決手段】略円筒状に形成された軸筒２と、該軸筒の軸方向における一端部に固定されると共に入力時に手書入力装置１００の入力面１０２に接触される入力トップ３と、内面に周方向に延びる保持溝１２ａが形成されると共に軸筒の軸方向における他端部の内部に固定された軸受４と、軸筒に対して軸方向に移動可能とされ軸受に摺動自在に支持された軸部材５と、該軸部材に外嵌状に固定され軸部材の軸筒に対する移動時に軸筒の内面又は軸受の内面に摺接されると共に軸部材が入力トップから離隔する方向における移動端まで移動されたときに軸受の保持溝に嵌合されて保持される弾性リング１８とを設けた。【選択図】        図２
2004348505.tif 000002
【特許請求の範囲】
【請求項１】
手書入力装置に対して情報入力を行うための入力ペンであって、
略円筒状に形成された軸筒と、
該軸筒の軸方向における一端部に固定されると共に入力時に手書入力装置の入力面に接触される入力トップと、
内面に周方向に延びる保持溝が形成されると共に軸筒の軸方向における他端部の内部に固定された軸受と、
軸筒に対して軸方向に移動可能とされ軸受に摺動自在に支持された軸部材と、
該軸部材に外嵌状に固定され軸部材の軸筒に対する移動時に軸筒の内面又は軸受の内面に摺接されると共に軸部材が入力トップから離隔する方向における移動端まで移動されたときに軸受の保持溝に嵌合されて保持される弾性リングとを備えた
ことを特徴とする入力ペン。
【請求項２】
上記入力トップに軸筒の内部空間と外部とを連通させるエアー流通溝を形成した
ことを特徴とする請求項１に記載の入力ペン。
【請求項３】
上記軸筒を外筒と該外筒に内嵌された内筒とによって構成し、
該内筒に軸方向に延び少なくとも入力トップ側の端面に開口されたエアー流通切欠を形成した
ことを特徴とする請求項２に記載の入力ペン。
【請求項４】
軸筒に対して軸部材が移動されたときに弾性リングが摺接される摺接部を軸受の内面に形成し、
該摺接部に、入力トップ側の端面に連続し入力トップに近付くに従って軸筒の外周面に近付く第１の傾斜面と、保持溝に連続し保持溝に近付くに従って軸筒の外周面に近付く第２の傾斜面とを形成し、
軸受の軸方向に対する第２の傾斜面の傾斜角度を軸受の軸方向に対する第１の傾斜面の傾斜角度より大きくした
ことを特徴とする請求項１に記載の入力ペン。
【発明の詳細な説明】
【０００１】
【発明の属する技術分野】
本発明は入力ペンについての技術分野に関する。詳しくは、軸筒に対して移動される軸部材に弾性リングを固定し、各部の組立作業及び加工作業における作業性の向上等を図る技術分野に関する。
【０００２】
【従来の技術】
近年、各種の情報を手書入力装置に対して入力ペンを用いて入力することが行われている。手書入力装置としては、例えば、パーソナルコンピュータやＰＤＡ（Ｐｅｒｓｏｎａｌ  Ｄｉｇｉｔａｌ  Ａｓｓｉｓｔａｎｃｅ）等があり、このような装置には、不使用時に入力ペンを収納するペン収納部を有するものがある。
【０００３】
入力ペンには、使用時には入力操作を行い易くするために全長を長くすることができ、不使用時にはペン収納部を小さくして手書入力装置の小型化を図るために全長を短くすることができる伸縮可能なタイプがある（例えば、特許文献１参照）。
【０００４】
この従来の入力ペンにあっては、軸筒（１）の軸方向における一端部にカラー（３）が固定され、伸縮時に軸筒に対して移動される後軸（６）に軸筒の内部で移動される駒（４）が固定され、駒に弾性リング（５）が取り付けられている。カラーには凹部（３Ａ）が形成され、後軸には凹部に係合される突起（６Ａ）が設けられている。
【０００５】
【特許文献１】
特開平１１−３４５０７０号公報
【０００６】
【発明が解決しようとする課題】
ところが、上記した従来の入力ペンにあっては、伸縮時に後軸が軸筒に対して移動されるときに、弾性リングを軸筒の内面に摩擦接触させて後軸の軸筒に対する円滑な移動を確保し、後軸の突起がカラーの凹部に係合されることにより所謂クリック感を生じさせて伸長されたときの後軸の保持が行われるようにしている。
【０００７】
従って、後軸の軸筒に対する円滑な移動を確保するための部品と、クリック感を生じさせて後軸の保持を行うための部品とが別部品であるため、弾性リングの加工作業、弾性リングの駒に対する取付作業の他に、後軸に突起を加工して形成する加工作業も必要となり、作業性が悪いという問題がある。
【０００８】
また、後軸に固定された駒が軸筒の内部で移動されるようにしているため、後軸と駒を必要とする分、部品点数が多く、また、後軸と駒の各加工作業及び後軸に対する駒の取付作業が必要となり、やはり作業性が悪くなってしまう。
【０００９】
そこで、本発明入力ペンは、上記した問題点を克服し、各部の組立作業及び加工作業における作業性の向上等を図ることを課題とする。
【００１０】
【課題を解決するための手段】
本発明入力ペンは、上記した課題を解決するために、略円筒状に形成された軸筒と、該軸筒の軸方向における一端部に固定されると共に入力時に手書入力装置の入力面に接触される入力トップと、内面に周方向に延びる保持溝が形成されると共に軸筒の軸方向における他端部の内部に固定された軸受と、軸筒に対して軸方向に移動可能とされ軸受に摺動自在に支持された軸部材と、該軸部材に外嵌状に固定され軸部材の軸筒に対する移動時に軸筒の内面又は軸受の内面に摺接されると共に軸部材が入力トップから離隔する方向における移動端まで移動されたときに軸受の保持溝に嵌合されて保持される弾性リングとを設けたものである。
【００１１】
従って、本発明入力ペンにあっては、伸縮時に弾性リングが軸筒の内面に摺接されると共に伸長時に弾性リングが保持溝に嵌合される。
【００１２】
【発明の実施の形態】
以下に、本発明入力ペンの実施の形態を添付図面を参照して説明する。尚、以下の実施の形態にあっては、入力ペンによって各種の情報が入力される手書入力装置として、ＰＤＡを例として説明する。
【００１３】
先ず、手書入力装置（ＰＤＡ）について説明する（図１参照）。
【００１４】
手書入力装置１００は、例えば、扁平な縦長の略矩形状に形成された筐体１０１に所要の各部が配置されて成る。筐体１０１の一方の面には入力面（液晶表示部）１０２と複数の操作釦１０３、１０３、・・・とが設けられ、入力面１０２は後述する入力ペンによって手書き入力が行われる面である。
【００１５】
筐体１０１には、その周面（上面）に開口されたペン収納部１０１ａが形成され、該ペン収納部１０１ａは筐体１０１の長手方向に長く形成されている。ペン収納部１０１ａは筐体１０１の長手方向における略中央部まで形成されている。筐体１０１のペン収納部１０１ａの開口側の端部には、ペン収納部１０１ａに連通され筐体１０１の外周面に開口された配置用切欠１０１ｂが形成されている。
【００１６】
筐体１０１のペン収納部１０１ａの内部には、その奥側の端部にロックレバー１０４が回動自在に支持されている。ロックレバー１０４は一端部を支点１０４ａとして回動され、他端部にロック突部１０４ｂを有している。ロックレバー１０４は、図示しない付勢手段によって図１に示すＲ方向、即ち、ロック突部１０４ｂの突出方向へ付勢されている。
【００１７】
次に、入力ペンについて説明する（図２乃至図７参照）。
【００１８】
入力ペン１は軸筒２と入力トップ３と軸受４と軸部材５とを備えている（図２及び図３参照）。
【００１９】
軸筒２は外筒６と内筒７とによって構成され、内筒７が外筒６の内部に嵌合された状態で固定されている。
【００２０】
外筒６は、例えば、金属材料によって軸方向に長い円筒状に形成されている。
【００２１】
内筒７は、例えば、金属材料によって軸方向に長くされ、軸方向における長さが外筒６より短くされている。内筒７は横断面形状で見てＣ字状に形成され（図４参照）、周方向における端面間がエアー流通切欠７ａとして形成されている。内筒７は外筒６の軸方向における両端部を除いた部分に、例えば、圧入によって固定されている。
【００２２】
入力トップ３は外筒６の軸方向における一端部に固定されている（図２、図３及び図６参照）。入力トップ３は、例えば、樹脂材料によって、図５及び図６に示すように、外筒６の外径と同じ径にされた円板部８と、該円板部８に連続され円板部８から離隔するに従って先細りにされた円錐部９と、円板部８の円錐部９と反対側に連続され径が円板部８より稍小さい略円柱状を為す嵌合部１０とが一体に形成されて成る。入力トップ３には、円板部８と円錐部９との境界部に周方向に延びる被ロック溝１１が形成されている。
【００２３】
嵌合部１０は円板部８の軸方向における一端面の外周部を除く部分に設けられ、この円板部８の外周部が当接面８ａとして形成されている。
【００２４】
円錐部９の先端部は略半球状を為す入力部９ａとして形成されている。使用者は、入力部９ａを手書入力装置１００の入力面１０２に接触させることにより、手書入力装置１００への情報の入力を行うことができる。
【００２５】
入力トップ３には嵌合部１０から円板部８に亘る部分に、軸方向に延びるエアー流通溝３ａ、３ａが形成されている。エアー流通溝３ａ、３ａは１８０°反対側の位置に形成され、一端が円板部８の当接面８ａと被ロック溝１１との間の部分に達し、他端が嵌合部１０の先端面に達している。
【００２６】
嵌合部１０の先端面にはエアー流通溝３ａ、３ａを結ぶエアー用溝３ｂが形成されている。
【００２７】
入力トップ３は嵌合部１０が、例えば、圧入により軸筒２の外筒６に挿入されて固定される（図６参照）。入力トップ３が外筒６に固定された状態においては、円板部８の当接面８ａが外筒６の軸方向における端面に当接され、嵌合部１０の先端面が内筒７の軸方向における端面に当接又は近接して位置されている。この状態において、軸筒２の内部空間２ａは入力トップ３のエアー流通溝３ａ、３ａを介して外部と連通されている。
【００２８】
軸受４は外筒６の軸方向における他端部、即ち、入力トップ３が固定された側と反対側の端部に固定されている（図２、図３及び図６参照）。軸受４は、例えば、金属材料によって、図６に示すように、外筒６の内径と同じ外径にされた円筒部１２と、該円筒部１２の軸方向における一端部に設けられたフランジ部１３とが一体に形成されて成り、該フランジ部１３は円筒部１２から外側に張り出されている。
【００２９】
円筒部１２のフランジ部１３と反対側の端部の内面には摺接部１４が形成されている。摺接部１４はフランジ部１３と反対側の端面に連続し該端面に近付くに従って軸受１４の外周面に近付く第１の傾斜面１４ａと、該第１の傾斜面１４ａに連続し軸受４の外周面に平行な水平面１４ｂと、該水平面１４ｂに連続し水平面１４ｂから離隔するに従って軸受１４の外周面に近付く第２の傾斜面１４ｃとから成る。
【００３０】
軸受４にあっては、図７に示すように、第２の傾斜面１４ｃの軸受４の軸方向に対する傾斜角度βが、第１の傾斜面１４ａの軸受４の軸方向に対する傾斜角度αより大きくされている。
【００３１】
円筒部１２は、図６に示すように、フランジ部１３と反対側の端部を除き、内径が内筒７の内径より稍小さく形成されている。円筒部１２の摺接部１４側の端面の内径は、内筒７の内径と略同じに形成されている。
【００３２】
円筒部１２の内面には第２の傾斜面１４ｃに連続して周方向に延びる保持溝１２ａが形成されている。
【００３３】
軸受４は円筒部１２が、例えば、圧入により軸筒２の外筒６に挿入されて固定される（図６参照）。軸受４が外筒６に固定された状態においては、フランジ部１３が外筒６の軸方向における端面に当接され、円筒部１２の先端面が内筒７の軸方向における端面に当接又は近接して位置されている。
【００３４】
軸部材５は軸筒２に対してその軸方向に移動可能とされ、軸受４に摺動自在に支持されている。軸部材５は、例えば、金属材料によって、図２及び図３に示すように、小径部１５と大径部１６とが一体に形成されて成る。
【００３５】
小径部１５は軸方向に長い略円柱状に形成され、軸筒２の外筒６より短く内筒７より長くされている。小径部１５の外径は軸受４の内径より僅かに小さくされている。小径部１５の軸方向における一端部には、図６に示すように、その端面側から順に何れも周方向に延びる第１の取付溝１５ａと第２の取付溝１５ｂが形成されている。
【００３６】
第１の取付溝１５ａにはＥリング１７が取り付けられ、第２の取付溝１５ｂにはゴム等の弾性材料から成る弾性リング１８が取り付けられている。Ｅリング１７及び弾性リング１８は、各外周側の端部がともに小径部１５の外周面から放射方向へ突出されている。Ｅリング１７の外径は軸筒２の内筒７の内径より稍小さくされ、弾性リング１８の外径は内筒７の内径と同じか僅かに大きくされている。
【００３７】
大径部１６は小径部１５の他端部に設けられている。大径部１６にはその外周面から側方へ突出された引出用突部１６ａが設けられている。
【００３８】
軸部材５は小径部１５が軸受４に摺動自在に支持され、軸部材５が軸筒２に対して移動されるときには、弾性リング１８が内筒７の内面と摺接される。従って、弾性リング１８と内筒７との間には所定の大きさのフリクションが生じ、軸部材５が軸筒２に対して円滑に移動される。
【００３９】
以下に、入力ペン１が手書入力装置１００のペン収納部１０１ａから取り出されるときの動作及び入力ペン１がペン収納部１０１ａに収納されるときの動作について説明する（図８乃至図１１参照）。
【００４０】
先ず、入力ペン１が手書入力装置１００のペン収納部１０１ａに収納されている状態について説明する（図８参照）。
【００４１】
入力ペン１は軸部材５の小径部１５の全体が軸筒２の内部に挿入され全長が最も短くされた短縮状態とされており、軸部材５の引出用突部１６ａが配置用切欠１０１ｂに位置されている。このとき、入力トップ３の被ロック溝１１にロックレバー１０４のロック突部１０４ｂが係合されて入力ペン１がロックされ、入力ペン１のペン収納部１０１ａからの脱落が防止されている。
【００４２】
入力ペン１が収納された状態において、軸部材５を引くと該軸部材５が軸筒２に対して図９に示すＬ１方向へ移動される（図９参照）。このとき引出用突部１６ａが筐体１０１の配置用切欠１０１ｂに配置されているため、使用者は引出用突部１６ａに指を添えることにより軸部材５を容易に移動させることができる。
【００４３】
軸部材５は弾性リング１８が内筒７の内面と摺接しながらＬ１方向へ移動される。軸部材５がＬ１方向へ移動されるときには、入力トップ３のエアー流通溝３ａ、３ａから軸筒２の内部空間２ａに外部からエアーが流入される。従って、軸部材５の移動により内部空間２ａの圧力が低下することがなく、軸部材５に図９に示すＬ２方向への移動力が付与されず、使用者は軸部材５を円滑にＬ１方向へ移動させることができる。
【００４４】
また、内部空間２ａに流入されたエアーは入力トップ３に形成されたエアー用溝３ｂ及び内筒７に形成されたエアー流通切欠７ａを流動される。従って、エアーの良好な流動性が確保され、軸部材５を一層円滑にＬ１方向へ移動させることができる。
【００４５】
弾性リング１８は内筒７の内面と摺接された後、軸受４の第１の傾斜面１４ａ、水平面１４ｂ及び第２の傾斜面１４ｃを順に弾性変形されながら摺接され、保持溝１２ａに内嵌状に挿入される（図１０参照）。弾性リング１８が保持溝１２ａに挿入されると、入力ペン１は全長が最も長くされた伸長状態となる（図１１参照）。このとき弾性リング１８が保持溝１２ａに挿入されることにより、使用者に所謂クリック感が付与され、使用者は入力ペン１が伸長状態になったことを認識することができる。
【００４６】
弾性リング１８が第１の傾斜面１４ａと摺接されるときには、該第１の傾斜面１４ａが緩やかな傾斜面に形成されているため、使用者には軸部材５の移動に対する抵抗が小さく、軸部材５を円滑に移動させることができる。
【００４７】
弾性リング１８が保持溝１２ａに挿入された状態においては、Ｅリング１７が第１の傾斜面１４ａに接し（図１０参照）、軸部材５が図１０に示すＬ１方向へ移動不能とされる。従って、Ｅリング１７は軸部材５のＬ１方向への移動を規制する移動規制部として機能する。
【００４８】
さらに軸部材５を引くと、軸筒２が軸部材５とともに図１１に示すＬ１方向へ移動しようとするため手書入力装置１００のロックレバー１０４が付勢手段の付勢力に抗して図１１に示すＳ方向へ回動され、入力ペン１に対するロックレバー１０４によるロックが解除される。
【００４９】
従って、軸部材５を引くことにより、使用者は入力ペン１をペン収納部１０１ａから引き出すことができ、入力ペン１をペン収納部１０１ａから引き出したときには、上記のように、全長が最も長くされた伸長状態とされている。
【００５０】
このように入力ペン１がペン収納部１０１ａから引き出されたときには、既に伸長状態とされているため、入力ペン１を用いた手書入力装置１００への情報の入力時の良好な操作性を即座に確保することができる。
【００５１】
入力ペン１をペン収納部１０１ａから引き出すと、ロックレバー１０４は付勢手段によって図１１に示すＲ方向へ回動され、入力ペン１のロックが可能なロック位置に戻る。
【００５２】
入力ペン１をペン収納部１０１ａに挿入していくと、ロック位置にあるロックレバー１０４のロック突部１０４ｂに入力トップ３が摺接され、ロックレバー１０４が付勢手段の付勢力に抗して図１１に示すＳ方向へ回動される。
【００５３】
入力ペン１がさらにペン収納部１０１ａに挿入されロック突部１０４ｂが被ロック溝１１に対応して位置されると、ロックレバー１０４が付勢手段の付勢力によって図１１に示すＲ方向へ回動されてロック突部１０４ｂが被ロック溝１１に係合され、入力ペン１がロックされる。
【００５４】
入力ペン１は、上記したように、第２の傾斜面１４ｃの軸受４の軸方向に対する傾斜角度が大きくされているため、入力トップ３がロックレバー１０４に摺接されている状態においても、弾性リング１８が軸受４の保持溝１２ａから外れることがなく、入力ペン１は全長が最も長くされた伸長状態のままペン収納部１０１ａに挿入されていく。
【００５５】
入力ペン１がロックされた状態において、軸部材５を軸方向に押圧していくと、弾性リング１８が保持溝１２ａから外れて軸部材５が軸筒２に対して図９に示すＬ２方向へ移動される。軸部材５が軸筒２に対してＬ２方向へ移動されると、弾性リング１１が順に軸受４の第２の傾斜面１４ｃ、水平面１４ｂ及び第１の傾斜面１４ａと摺接し、その後、内筒６の内面と摺接されていく。
【００５６】
軸部材５がＬ２方向へ移動されるときには、軸筒２の内部空間２ａから入力トップ３のエアー流通溝３ａ、３ａを介して外部にエアーが流出される。従って、軸部材５の移動により内部空間２ａの圧力が上昇することがなく、軸部材５に図９に示すＬ１方向への移動力が付与されず、使用者は軸部材５を円滑にＬ２方向へ移動させることができる。
【００５７】
また、エアーは入力トップ３に形成されたエアー用溝３ｂ及び内筒７に形成されたエアー流通切欠７ａを流動される。従って、エアーの良好な流動性が確保され、軸部材５を一層円滑にＬ２方向へ移動させることができる。
【００５８】
軸部材５は大径部１６の小径部１５側の端面が軸受４のフランジ部１３に当接するまで軸筒２に対して移動され、小径部１５の全体が軸筒２の内部に挿入され全長が最も短くされた短縮状態とされる（図８参照）。短縮状態においては、軸部材５の引出用突部１６ａが手書入力装置１００の配置用切欠１０１ｂに位置される。
【００５９】
上記のように、入力ペン１にあっては、ペン収納部１０１ａから取り出したときには伸長状態となり、即座に良好な操作性を確保することができ、また、ペン収納部１０１ａに収納したときには短縮状態となり、入力ペン１の収納スペースが小さくて済み手書入力装置１００の小型化を図ることができる。
【００６０】
また、入力ペン１にあっては、軸部材５の軸筒２に対する円滑な移動を確保する機能とクリック感を生じさせて軸部材５の保持を行うための機能との双方の機能を有する弾性リング１８が設けられているため、これらの各機能を有する部品を各別に設ける場合に比し、各部の加工作業及び取付作業が簡素化され、作業性の向上を図ることができる。
【００６１】
さらに、入力ペン１にあっては、軸部材５に別部品を介さずに弾性リング１８が取り付けられているため、部品点数を削減することができ、また、各部の加工作業及び取付作業の簡素化による一層の作業性の向上を図ることができる。
【００６２】
加えて、入力ペン１は、第２の傾斜面１４ｃの軸受４の軸方向に対する傾斜角度が大きくされているため、伸長状態で入力ペンによる入力作業を行っているときに、軸受４の保持溝１２ａからの弾性リング１８の意図しない外れを防止することができ、入力ペン１の良好な操作性を維持することができる。
【００６３】
上記には、入力ペン１を短縮状態でペン収納部１０１ａに収納する例を示したが、例えば、図１２に示すように、ペン収納部１０１ａよりも長い収納スペースとして形成されたペン収納部１０１ｃを有する手書入力装置１００Ａに対しては、入力ペン１を伸長状態でペン収納部１０１ｃに収納することができる。
【００６４】
このように入力ペン１にあっては、収納スペースの大きさが異なるペン収納部１０１ａ及びペン収納部１０１ｃの何れにも収納可能であり、使い勝手の向上を図ることができる。
【００６５】
以下に、入力ペンの第１の変形例を示す（図１３及び図１４参照）。以下に示す第１の変形例は、上記した入力ペン１と比較して、軸筒の内筒を有していないこと及びＥリングに代えてリング部材が設けられていることのみが相違するため、入力ペン１と比較して異なる部分についてのみ詳細に説明をし、その他の部分については入力ペン１における同様の部分に付した符号と同じ符号を付して説明は省略する。
【００６６】
第１の変形例に係る入力ペン１Ａは軸筒２Ａが外筒６のみによって構成されている。
【００６７】
軸部材５は軸筒２Ａに対してその軸方向に移動可能とされ、軸受４に摺動自在に支持されている。軸部材５の第１の取付溝１５ａにはゴム等の弾性材料から成るリング部材１９が取り付けられている。リング部材１９は外周側の端部が小径部１５の外周面から放射方向へ突出され、リング部材１９の外径は外筒６の内径と同じか僅かに大きくされている。従って、リング部材１９は弾性リング１８より外径が大きくされている。
【００６８】
軸部材５は小径部１５が軸受４に摺動自在に支持され、軸部材５が軸筒２Ａに対して移動されるときには、リング部材１９が外筒６の内面と摺接される（図１４参照）。従って、リング部材１９と外筒６との間には所定の大きさのフリクションが生じ、軸部材５が軸筒２Ａに対して円滑に移動される。
【００６９】
入力ペン１Ａにあっては、弾性リング１８が保持溝１２ａに挿入された状態において、リング部材１９が第１の傾斜面１４ａに接し（図１３参照）、軸部材５が図１３に示すＬ１方向へ移動不能とされる。従って、リング部材１９はＬ１方向への軸部材５の移動を規制する移動規制部としても機能する。
【００７０】
以上に記載した通り、入力ペン１Ａにあっては、内筒を必要としないため、部品点数の削減を図ることができる。
【００７１】
次に、入力ペンの第２の変形例を示す（図１５及び図１６参照）。以下に示す第２の変形例は、上記した入力ペン１と比較して、軸筒の内筒を有していないこと及び外筒の形状が異なることのみが相違するため、入力ペン１と比較して異なる部分についてのみ詳細に説明をし、その他の部分については入力ペン１における同様の部分に付した符号と同じ符号を付して説明は省略する。
【００７２】
第２の変形例に係る入力ペン１Ｂは軸筒２Ｂが外筒６Ｂのみによって構成されている。
【００７３】
軸筒２Ｂは大径筒部２０と小径筒部２１とが一体に形成されて成り、小径筒部２１の内径が大径筒部２０の内径より小さくされている。
【００７４】
大径筒部２０は軸受４が固定される部分であり、該軸受４が大径筒部２０に内嵌状に固定された状態においては、図１５に示すように、フランジ部１３が大径筒部２０の軸方向における端面に当接され、円筒部１２の先端面が小径筒部２１の軸方向における端面に当接又は近接して位置されている。
【００７５】
小径筒部２１の内径は弾性リング１８の外径と同じか僅かに小さくされている。
【００７６】
軸部材５は小径部１５が軸受４に摺動自在に支持され、軸部材５が軸筒２Ｂに対して移動されるときには、弾性リング１８が軸筒２Ｂの小径筒部２１の内面と摺接される（図１６参照）。従って、弾性リング１８と小径筒部２１との間には所定の大きさのフリクションが生じ、軸部材５が軸筒２Ｂに対して円滑に移動される。
【００７７】
以上に記載した通り、入力ペン１Ｂにあっては、内筒を必要としないため、部品点数の削減を図ることができる。
【００７８】
尚、上記には、手書入力装置の例としてＰＤＡを示したが、手書入力装置はＰＤＡに限られることはなく、例えば、携帯情報端末、パーソナルコンピュータ、ネットワーク端末やワークステーション等であってもよい。
【００７９】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００８０】
【発明の効果】
以上に記載したところから明らかなように、本発明入力ペンは、手書入力装置に対して情報入力を行うための入力ペンであって、略円筒状に形成された軸筒と、該軸筒の軸方向における一端部に固定されると共に入力時に手書入力装置の入力面に接触される入力トップと、内面に周方向に延びる保持溝が形成されると共に軸筒の軸方向における他端部の内部に固定された軸受と、軸筒に対して軸方向に移動可能とされ軸受に摺動自在に支持された軸部材と、該軸部材に外嵌状に固定され軸部材の軸筒に対する移動時に軸筒の内面又は軸受の内面に摺接されると共に軸部材が入力トップから離隔する方向における移動端まで移動されたときに軸受の保持溝に嵌合されて保持される弾性リングとを備えたことを特徴とする。
【００８１】
従って、軸部材の軸筒に対する円滑な移動を確保する機能とクリック感を生じさせて軸部材の保持を行うための機能との双方の機能を有する弾性リングが設けられているため、これらの各機能を有する部品を各別に設ける場合に比し、各部の加工作業及び取付作業が簡素化され、作業性の向上を図ることができる。
【００８２】
また、軸部材に別部品を介さずに弾性リングが取り付けられているため、部品点数を削減することができ、また、各部の加工作業及び取付作業の簡素化による一層の作業性の向上を図ることができる。
【００８３】
請求項２に記載した発明にあっては、上記入力トップに軸筒の内部空間と外部とを連通させるエアー流通溝を形成したので、軸部材の軸筒に対する移動時に内部空間の圧力の変動が生じることがなく、軸部材を軸筒に対して円滑に移動させることができる。
【００８４】
請求項３に記載した発明にあっては、上記軸筒を外筒と該外筒に内嵌された内筒とによって構成し、該内筒に軸方向に延び少なくとも入力トップ側の端面に開口されたエアー流通切欠を形成したので、軸部材の軸筒に対する移動時にエアーの良好な流動性が確保され、軸部材を軸筒に対して一層円滑に移動させることができる。
【００８５】
請求項４に記載した発明にあっては、軸筒に対して軸部材が移動されたときに弾性リングが摺接される摺接部を軸受の内面に形成し、該摺接部に、入力トップ側の端面に連続し入力トップに近付くに従って軸筒の外周面に近付く第１の傾斜面と、保持溝に連続し保持溝に近付くに従って軸筒の外周面に近付く第２の傾斜面とを形成し、軸受の軸方向に対する第２の傾斜面の傾斜角度を軸受の軸方向に対する第１の傾斜面の傾斜角度より大きくしたので、伸長時に軸部材の移動に対する抵抗が小さく軸部材を円滑に移動させることができると共に弾性リングの保持溝からの意図しない外れを防止することができる。
【図面の簡単な説明】
【図１】図２乃至図１６と共に本発明の実施の形態を示すものであり、本図は、手書入力装置を一部を断面にして示す正面図である。
【図２】伸長状態を示す入力ペンの断面図である。
【図３】短縮状態を示す入力ペンの断面図である。
【図４】軸筒の拡大横断面図である。
【図５】入力トップの拡大斜視図である。
【図６】要部を示す拡大断面図である。
【図７】第１の傾斜面と第２の傾斜面の傾斜角度の相違を示す拡大断面図である。
【図８】入力ペンが手書入力装置のペン収納部に収納されている状態を一部を断面にして示す正面図である。
【図９】軸部材が軸筒に対して移動されている状態を示す拡大断面図である。
【図１０】伸長状態を示す要部の拡大断面図である。
【図１１】入力ペンがロックされているときの伸長状態を一部を断面にして示す正面図である。
【図１２】入力ペンが長いペン収納部に収納されている状態を一部を断面にして示す正面図である。
【図１３】図１４と共に第１の変形例を示すものであり、本図は伸長状態を示す拡大断面図である。
【図１４】軸部材が軸筒に対して移動されている状態を示す拡大断面図である。
【図１５】図１６と共に第２の変形例を示すものであり、本図は伸長状態を示す拡大断面図である。
【図１６】軸部材が軸筒に対して移動されている状態を示す拡大断面図である。
【符号の説明】
１００…手書入力装置、１０２…入力面、１…入力ペン、２…軸筒、２ａ…内部空間、３…入力トップ、３ａ…エアー流通溝、４…軸受、５…軸部材、６…外筒、７…内筒、１２…円筒部、１２ａ…保持溝、１４…摺接部、１４ａ…第１の傾斜面、１４ｃ…第２の傾斜面、１８…弾性リング、１００Ａ…手書入力装置、１Ａ…入力ペン、２Ａ…軸筒、１Ｂ…入力ペン、２Ｂ…軸筒、６Ｂ…外筒
【図１】
2004348505.tif 000003
【図２】
2004348505.tif 000004
【図３】
2004348505.tif 000005
【図４】
2004348505.tif 000006
【図５】
2004348505.tif 000007
【図６】
2004348505.tif 000008
【図７】
2004348505.tif 000009
【図８】
2004348505.tif 000010
【図９】
2004348505.tif 000011
【図１０】
2004348505.tif 000012
【図１１】
2004348505.tif 000013
【図１２】
2004348505.tif 000014
【図１３】
2004348505.tif 000015
【図１４】
2004348505.tif 000016
【図１５】
2004348505.tif 000017
【図１６】
2004348505.tif 000018